(57)【特許請求の範囲】
【請求項１】
外部からの制御信号に応じて特性を変更できるイコライザーを用いた再生方法であって、
動作モードが１倍速再生になったことを検出するモード検出工程と、
前記１倍速再生による再生信号からエンベロープを検出するエンベロープ検出工程と、
前記エンベロープ検出工程で検出されるエンベロープが安定した直後は大きく、徐々に小さくなるように変化する係数を設定する設定工程と、
前記再生信号を元のデジタルデータに変換するときに生じるエラーの計測を所定回数繰り返して加算し、その平均値を算出する算出工程と、
前記算出工程で算出された平均値と前回算出された平均値との比較結果に応じて前記設定工程で設定された係数を加算或いは減算して得られる値に基づく制御信号によって、前記イコライザーを制御する制御工程とを有することを特徴とする再生方法。
【請求項２】
外部からの制御信号に応じて特性を変更できるイコライザーを用いた再生方法であって、
動作モードが１倍速再生になったことを検出するモード検出工程と、
前記１倍速再生による再生信号からエンベロープを検出するエンベロープ検出工程と、
前記エンベロープ検出工程で検出されるエンベロープが安定した直後は短く、徐々に長くなるように変化する時間の定数を設定する設定工程と、
前記再生信号を元のデジタルデータに変換するときに生じるエラーの計測を前記設定工程で設定された時間の定数に従った期間繰り返して加算し、その平均値を算出する算出工程と、
前記算出工程で算出された平均値と前回算出された平均値との比較結果に応じて所定の係数を加算或いは減算して得られる値に基づく制御信号によって、前記イコライザーを制御する制御工程とを有することを特徴とする再生方法。
【請求項３】
外部からの制御信号に応じて特性を変更できるイコライザーを有する再生装置であって、
動作モードが１倍速再生になったことを検出するモード検出手段と、
前記１倍速再生による再生信号からエンベロープを検出するエンベロープ検出手段と、
前記エンベロープ検出手段により検出されるエンベロープが安定した直後は大きく、徐々に小さくなるように変化する係数を設定する設定手段と、
前記再生信号を元のデジタルデータに変換するときに生じるエラーの計測を所定回数繰り返して加算し、その平均値を算出する算出手段と、
前記算出手段により算出された平均値と前回算出された平均値との比較結果に応じて前記設定手段で設定された係数を加算或いは減算して得られる値に基づく制御信号によって、前記イコライザーを制御する制御手段とを備えたことを特徴とする再生装置。
【請求項４】
外部からの制御信号に応じて特性を変更できるイコライザーを有する再生装置であって、
動作モードが１倍速再生になったことを検出するモード検出手段と、
前記１倍速再生による再生信号からエンベロープを検出するエンベロープ検出手段と、
前記エンベロープ検出手段により検出されるエンベロープが安定した直後は短く、徐々に長くなるように変化する時間の定数を設定する設定手段と、
前記再生信号を元のデジタルデータに変換するときに生じるエラーの計測を前記設定手段で設定された時間の定数に従った期間繰り返して加算し、その平均値を算出する算出手段と、
前記算出手段により算出された平均値と前回算出された平均値との比較結果に応じて所定の係数を加算或いは減算して得られる値に基づく制御信号によって、前記イコライザーを制御する制御手段とを備えたことを特徴とする再生装置。
【発明の詳細な説明】
【０００１】
【発明の属する技術分野】
本発明は、磁気テープや磁気ディスク等の記録媒体に記録された情報を再生する再生方法及び装置に関する。
【０００２】
【従来の技術】
図７は、従来の再生装置の構成を示すブロック図である。同図において、７０１は可変イコライザーで、再生ＲＦ信号が後述するＡ／Ｄ変換手段７０２に、最適な特性となるように、ゲイン特性と低域の位相特性と高域の位相特性とを、それぞれ外部からの電圧によりコントロールすることができる機能を持っている。７０２はＡ／Ｄ変換手段で、アナログ信号をデジタル信号に変換する、即ち、可変イコライザー７０１の出力を量子化するものである。７０３はデジタル信号処理手段で、Ａ／Ｄ変換手段７０２の出力データを信号処理するものである。７０４はマイコン（マイクロコンピュータ）で、デジタル信号処理手段７０３からのデータにより可変イコライザー７０１を制御するものである。
【０００３】
次に、可変イコライザー７０１をマイコン７０４により制御する動作について、
図８のフローチャートを用いて説明する。
【０００４】
まず、ステップＳ８０１で本処理動作がスタートして、パワーがオン（ＯＮ）されると、次のステップＳ８０２で各パラメータを初期化する。次に、ステップＳ８０３でエンベロープが安定したか否かを安定するまで判別する。そして、エンベロープが安定した場合は、次のステップＳ８０４でエラーデータの計測を６４回繰り返して加算する。次に、ステップＳ８０５で前の値に対して平均エラーが良いか否か（Ｍ１がＭ０より大きいか否か）を判断する。そして、前回の加算結果と比較して今回のデータが良い（Ｍ１＞Ｍ０である）と判断された場合は、図２におけるａの位置に有ると判断できる。そのため、次のステップＳ８０６で一定の係数を加算（Ｇ＝Ｇ＋１）した後、ステップＳ８０８へ進む。また、前回の加算結果と比較して今回のデータが悪い（Ｍ１＞Ｍ０でない）と判断された場合は、図２におけるｂの位置に有ると判断できる。そのため、次のステップＳ８０７で一定の係数を減算（Ｇ＝Ｇ−１）した後、ステップＳ８０８へ進む。
【０００５】
ステップＳ８０８では、前の情報をメモ（Ｍ１＝Ｍ０、Ｍ０＝０）した後、前記ステップＳ８０１へ戻るというように、一定の動きを繰り返していた。
【０００６】
【発明が解決しようとする課題】
しかしながら、上述した従来例にあっては、エラーを一定時間加算して、一定の係数でフィードバックしていたため、モード移行時やデータの無い所からある所への突入時等で可変イコライザー７０１の応答が悪く、磁気テープや磁気ディスク等の記録媒体の状態に大きく支配されていた。このため、立ち上がり時に画像にブロック状のノイズが現れてしまったり、オーディオにノイズが発生したり、立ち上がり時にデータが取れずにカウンターの計数動作が進まないという問題点があった。
【０００７】
本発明は上述した従来の技術の有するこのような問題点に鑑みてなされたものであり、その目的とするところは、画像やオーディオにノイズのない良好な再生ＲＦ信号処理を行うことができる再生方法及び装置を提供することにある。
【０００９】
【課題を解決するための手段】
上記目的を達成するために請求項１記載の再生方法は、外部からの制御信号に応じて特性を変更できるイコライザーを用いた再生方法であって、動作モードが１倍速再生になったことを検出するモード検出工程と、前記１倍速再生による再生信号からエンベロープを検出するエンベロープ検出工程と、前記エンベロープ検出工程で検出されるエンベロープが安定した直後は大きく、徐々に小さくなるように変化する係数を設定する設定工程と、前記再生信号を元のデジタルデータに変換するときに生じるエラーの計測を所定回数繰り返して加算し、その平均値を算出する算出工程と、前記算出工程で算出された平均値と前回算出された平均値との比較結果に応じて前記設定工程で設定された係数を加算或いは減算して得られる値に基づく制御信号によって、前記イコライザーを制御する制御工程とを有することを特徴とする。
【００１０】
上記目的を達成するために請求項２記載の再生方法は、外部からの制御信号に応じて特性を変更できるイコライザーを用いた再生方法であって、動作モードが１倍速再生になったことを検出するモード検出工程と、前記１倍速再生による再生信号からエンベロープを検出するエンベロープ検出工程と、前記エンベロープ検出工程で検出されるエンベロープが安定した直後は短く、徐々に長くなるように変化する時間の定数を設定する設定工程と、前記再生信号を元のデジタルデータに変換するときに生じるエラーの計測を前記設定工程で設定された時間の定数に従った期間繰り返して加算し、その平均値を算出する算出工程と、前記算出工程で算出された平均値と前回算出された平均値との比較結果に応じて所定の係数を加算或いは減算して得られる値に基づく制御信号によって、前記イコライザーを制御する制御工程とを有することを特徴とする。
【００１１】
上記目的を達成するために請求項３記載の再生装置は、外部からの制御信号に応じて特性を変更できるイコライザーを有する再生装置であって、動作モードが１倍速再生になったことを検出するモード検出手段と、前記１倍速再生による再生信号からエンベロープを検出するエンベロープ検出手段と、前記エンベロープ検出手段により検出されるエンベロープが安定した直後は大きく、徐々に小さくなるように変化する係数を設定する設定手段と、前記再生信号を元のデジタルデータに変換するときに生じるエラーの計測を所定回数繰り返して加算し、その平均値を算出する算出手段と、前記算出手段により算出された平均値と前回算出された平均値との比較結果に応じて前記設定手段で設定された係数を加算或いは減算して得られる値に基づく制御信号によって、前記イコライザーを制御する制御手段とを備えたことを特徴とする。
【００１２】
上記目的を達成するために請求項４記載の再生装置は、外部からの制御信号に応じて特性を変更できるイコライザーを有する再生装置であって、動作モードが１倍速再生になったことを検出するモード検出手段と、前記１倍速再生による再生信号からエンベロープを検出するエンベロープ検出手段と、前記エンベロープ検出手段により検出されるエンベロープが安定した直後は短く、徐々に長くなるように変化する時間の定数を設定する設定手段と、前記再生信号を元のデジタルデータに変換するときに生じるエラーの計測を前記設定手段で設定された時間の定数に従った期間繰り返して加算し、その平均値を算出する算出手段と、前記算出手段により算出された平均値と前回算出された平均値との比較結果に応じて所定の係数を加算或いは減算して得られる値に基づく制御信号によって、前記イコライザーを制御する制御手段とを備えたことを特徴とする。
【００１８】
【発明の実施の形態】
以下、本発明の実施の形態を図１乃至図６に基づき説明する。
【００１９】
（第１の実施の形態）
まず、本発明の第１の実施の形態を図１乃至図４に基づき説明する。
【００２０】
図１は、本発明の第１の実施の形態に係る記録機能を有する再生装置の構成を示すブロック図であり、同図において、１は可変イコライザーで、加算量可変型トランスバーサルフィルター２と、可変ディレーイコライザー３と、ＬＰＦ（ローパスフィルター）４とにより構成されている。
【００２１】
加算量可変型トランスバーサルフィルター２は、再生ＲＦ信号を後述するＡ／Ｄ変換手段に最適な特性となるように、ゲイン特性を外部からの電圧によりチャンネルごとにコントロールすることができるものである。可変ディレーイコライザー３は、後述するＡ／Ｄ変換手段に最適な特性となるように、低域遅延特性を外部からの電圧によりチャンネルごとにコントロールすることができるものである。ＬＰＦ４は、可変ディレーイコライザー３の出力を帯域制限するものである。
【００２２】
５はＡ／Ｄ変換手段で、ＬＰＦ４の出力を受けて量子化する、即ち、アナログ信号をデジタル信号に変換するものである。６はデジタル信号処理手段で、Ａ／Ｄ変換手段５の出力データから、後述するメモリーへの書き込み処理を含めたデジタル信号処理を行うものである。７はメモリーで、デジタル信号処理手段６からのデータを格納するものである。８は信号処理マイコン（マイクロコンピュータ）で、デジタル信号処理手段６からのエラーデータにより可変イコライザー１を制御し、後述するＤ／Ａ変換手段のデータを作成すると共に、デジタル信号処理手段６のモードをコントロールするものである。９はモード処理マイコン（マイクロコンピュータ）で、メカ動作やシステム全体をコントロールするものである。１０はＤ／Ａ変換手段で、デジタル信号をアナログ信号に変換するものである。１１はエンベロープ検出手段で、再生ＲＦ信号からエンベロープがあるか否かを検出するものである。
【００２３】
図２に示すようにＤ／Ａ手段１０の入力データが変化したときに、デジタル信号処理手段６からのエラーが変化するものである。
【００２４】
また、図３に示すようにＤ／Ａ手段１０の入力データが変化したときに、デジタル信号処理手段６からのエラーが変化するものである。
【００２５】
次に、可変イコライザー１を信号処理マイコン８により制御する動作について、図４のフローチャートを用いて説明する。
【００２６】
まず、ステップＳ４０１で本処理動作がスタートして、パワーがオン（ＯＮ）されると、次のステップＳ４０２で各パラメータを初期化する。次に、ステップＳ４０３でモード制御マイコン９との通信によりモードを判別し、前のモードと変わったか否か、即ち、１倍速再生になったか否かを判断する。そして、１倍速再生にならないと判断された場合は、ステップＳ４１２で係数ｋをイニシャライズした後、前記ステップＳ４０３へ戻り、１倍速再生になるまで待機する。
【００２７】
一方、前記ステップＳ４０３において１倍速再生になったと判断された場合は、次のステップＳ４０４でエンベロープがあるか否かを判断する。このエンベロープの有無は、エンベロープ検出手段１１の出力により判断するものである。そして、エンベロープが無いと判断された場合は、ステップＳ４１３で係数ｋをイニシャライズした後、前記ステップＳ４０３へ戻り、エンベロープが有るまで待機する。
【００２８】
一方、前記ステップＳ４０４においてエンベロープが有ると判断された場合は、次のステップＳ４０５でエンベロープが安定したか否かを判断する。そして、エンベロープが安定しないと判断された場合は、ステップＳ４１４で係数ｋをイニシャライズした後、前記ステップＳ４０３へ戻り、エンベロープが安定するまで待機する。
【００２９】
そして、エンベロープが安定した場合は、次のステップＳ４０６で前記係数ｋの値によって、可変イコライザー１の制御のフィードバック係数であるｓの値を設定し、前記係数ｋの値をインクリメントする。即ち、具体的には、「ｋ＜２００ならｓ＝３、ｋ＝ｋ＋１」、「ｋ＜５００ならｓ＝２、ｋ＝ｋ＋１」、「ｋ≦２０００ならｓ＝１、ｋ＝１００」となる。
【００３０】
次に、ステップＳ４０７でエラーデータの計測を各ヘッドごとに６４回繰り返して加算し、その平均値を算出する（Ｍ０＝Ｍ０＋Ｃ１）。
【００３１】
次に、ステップＳ４０８で前の値に対して平均エラーが良いか否か（Ｍ１がＭ０より大きいか否か）を判断する。そして、前回の加算結果と比較して今回のデータが良い（Ｍ１＞Ｍ０である）と判断された場合は、図２におけるａの位置に有ると判断できる。そのため、次のステップＳ４０９でフィードバック係数であるｓの値を加算（Ｇ＝Ｇ＋ｓ）した後、ステップＳ４１１へ進む。また、前回の加算結果と比較して今回のデータが悪い（Ｍ１＞Ｍ０でない）と判断された場合は、図２におけるｂの位置に有ると判断できる。そのため、次のステップＳ４１０でフィードバック係数であるｓの値を減算（Ｇ＝Ｇ−ｓ）した後、ステップＳ４１１へ進む。
【００３２】
ステップＳ４１１では、前の情報をメモリー７に格納（Ｍ１＝Ｍ０、Ｍ０＝０）した後、前記ステップＳ４０３へ戻る。
【００３３】
以上説明したように、本実施の形態に係る再生装置によれば、信号処理マイコン８とは別のマイコンであるモード処理マイコン９との通信により、モード移行情報を検知し、エンベロープ検出手段１１の出力により、信号のあるところへの突入時にＤ／Ａ変換手段１０の出力電圧が早く目的の値になるように、最初に可変イコライザー１のフィードバック係数であるｓの値を高めて早く探すように動作する。また、徐々に係数が変わることで安定度も向上する。更に、エンベロープの有無をエンベロープ検出手段１１により検出することにより判断できるので、上記構成を簡単に得ることが可能である。
【００３４】
（第２の実施の形態）
次に、本発明の第２の実施の形態を図５及び図６に基づき説明する。
【００３５】
図５は、本発明の第２の実施の形態に係る記録機能を有する再生装置の構成を示すブロック図であり、同図において、１２はヘッドＡＭＰ（増幅器）で、磁気ヘッドからの再生出力を増幅するものである。１３はＧＣＡ（ゲインコントロールアンプ）で、ヘッドＡＭＰ１２の出力である再生ＲＦを一定振幅にして後述するＡ／Ｄ変換手段に入力するために、後述するデジタル信号処理手段からのフィードバックでＡＧＣ（オートゲインコントロール）を構成するためのものである。１４は可変イコライザーで、ＧＣＡ１３の出力信号を後述するＡ／Ｄ変換手段に最適な特性となるように、振幅特性と低域の位相特性と高域の位相特性とを、それぞれ外部からの電圧によりコントロールすることができるものである。１５はＡ／Ｄ変換手段で、可変イコライザー１４の出力を量子化する、即ち、アナログ信号をデジタル信号に変換するものである。１６はデジタル信号処理手段で、Ａ／Ｄ変換手段１５からの出力データから後述するメモリーへの書き込み処理を含めたデジタル信号処理を行うものである。１７はメモリーで、デジタル信号処理手段１６からのデータを格納するものである。１８はマイコン（マイクロコンピュータ）で、デジタル信号処理手段１６からのデータにより可変イコライザー１４を制御しながら、モードの変わったことと再生ＲＦ出力の有無により、可変イコライザー１４の制御を変えると共に、デジタル信号処理手段１６のモードをコントロールし、メカ動作やシステム全体をコントロールするものである。
【００３６】
次に、可変イコライザー１４をマイコン１８により制御する動作について、図６のフローチャートを用いて説明する。
【００３７】
まず、ステップＳ６０１で本処理動作がスタートして、パワーがオン（ＯＮ）されると、次のステップＳ６０２で各パラメータを初期化する。次に、ステップＳ６０３でモードを判別し、前のモードと変わったか否か、即ち、１倍速再生になったか否かを判断する。そして、１倍速再生にならないと判断された場合は、ステップＳ６１２で係数ｋをイニシャライズした後、前記ステップＳ６０３へ戻り、１倍速再生になるまで待機する。
【００３８】
一方、前記ステップＳ６０３において１倍速再生になったと判断された場合は、次のステップＳ６０４でエンベロープがあるか否かを判断する。このエンベロープの有無は、マイコン１８がデジタル信号処理手段１６から出力されるＧＣＡ１３のコントロール電圧を読み取り、一定以上にＧＣＡ制御電圧が上昇したら指定ビットを立てて、そのビットを見て判断するものである。そして、エンベロープが無いと判断された場合は、ステップＳ６１３で係数ｋをイニシャライズした後、前記ステップＳ６０３へ戻り、エンベロープが有るまで待機する。
【００３９】
一方、前記ステップＳ６０４においてエンベロープが有ると判断された場合は、次のステップＳ６０５でエンベロープが安定したか否かを判断する。そして、エンベロープが安定しないと判断された場合は、ステップＳ６１４で係数ｋをイニシャライズした後、前記ステップＳ６０３へ戻り、エンベロープが安定するまで待機する。
【００４０】
そして、エンベロープが安定した場合は、次のステップＳ６０６で前記係数ｋの値によって、積算時間の定数であるｎの値を設定し、前記係数ｋの値をインクリメントする。即ち、具体的には、「ｋ＜２００ならｎ＝１０、ｋ＝ｋ＋１」、「ｋ＜５００ならｎ＝３０、ｋ＝ｋ＋１」、「ｋ≦２０００ならｎ＝１００、ｋ＝２０００」となる。
【００４１】
次に、ステップＳ６０７でエラーデータの計測をｎ回繰り返して加算し、その平均値を算出する（Ｍ０＝Ｍ０＋Ｃ１）ことで積分時定数を変える。
【００４２】
次に、ステップＳ６０８で前の値に対して平均エラーが良いか否か（Ｍ１がＭ０より大きいか否か）を判断する。そして、前回の加算結果と比較して今回のデータが良い（Ｍ１＞Ｍ０である）と判断された場合は、図２におけるａの位置に有ると判断できる。そのため、次のステップＳ６０９で１を加算（Ｇ＝Ｇ＋１）した後、ステップＳ６１１へ進む。また、前回の加算結果と比較して今回のデータが悪い（Ｍ１＞Ｍ０でない）と判断された場合は、図２におけるｂの位置に有ると判断できる。そのため、次のステップＳ６１０で１を減算（Ｇ＝Ｇ−１）した後、ステップＳ６１１へ進む。
【００４３】
ステップＳ６１１では、前の情報をメモリー１７に格納（Ｍ１＝Ｍ０、Ｍ０＝０）した後、前記ステップＳ６０３へ戻る。
【００４４】
以上説明したように、本実施の形態に係る再生装置によれば、モード移行や、信号のあるところへの突入時に、最初に加算時間を早くすることで、エラーレートの一番良い所を早く探すように動作する。また、通常時の加算時間を長くすることで安定度も向上する。更に、エンベロープの有無をＡＧＣ制御電圧で判断できるので、上記構成を簡単に得ることが可能である。
【００４５】
（その他の実施の形態）
なお、上述した各実施の形態においては、記録機能を有する再生装置について説明したが、記録機能を持たない再生装置であっても良いことは言うまでもない。
【００４６】
また、その他の構成についても、本発明の要旨を逸脱しない範囲で種々変更可能であることも言うまでもない。
【００４７】
【発明の効果】
以上詳述したように本発明の再生方法及び装置によれば、イコライザーを制御するための制御信号の決定に関して、動作モードが１倍速再生に変化したことを検出し、さらに検出されるエンベロープが安定した直後から徐々にその内容を変えることにより、動作モードの変化時に速やかにイコライザーの特性を最適化することが可能となり、良好な再生特性を得ることができるという効果を奏する。
【図面の簡単な説明】
【図１】本発明の第１の実施の形態に係る再生装置の構成を示すブロック図である。
【図２】本発明の第１の実施の形態に係る再生装置における加算量可変型トランスバーサルフィルターの動作を説明するためのグラフである。
【図３】本発明の第１の実施の形態に係る再生装置における可変ディレーイコライザーの動作を説明するためのグラフである。
【図４】本発明の第１の実施の形態に係る再生装置の動作の流れを示すフローチャートである。
【図５】本発明の第２の実施の形態に係る再生装置の構成を示すブロック図である。
【図６】本発明の第２の実施の形態に係る再生装置の動作の流れを示すフローチャートである。
【図７】従来の再生装置の構成を示すブロック図である。
【図８】従来の再生装置の動作の流れを示すフローチャートである。
【符号の説明】
１    可変イコライザー
２    加算量可変型トランスバーサルフィルター
３    可変ディレーイコライザー
４    ＬＰＦ（ローパスフィルター）
５    Ａ／Ｄ変換手段
６    デジタル信号処理手段
７    メモリー
８    信号処理マイコン（マイクロコンピュータ）
９    モード処理マイコン（マイクロコンピュータ）
１０  Ｄ／Ａ変換手段
１１  エンベロープ検出手段
１２  ヘッドＡＭＰ（増幅器）
１３  ＧＣＡ（ゲインコントロールアンプ）
１４  可変イコライザー
１５  Ａ／Ｄ変換手段
１６  デジタル信号処理手段
１７  メモリー
１８  マイコン（マイクロコンピュータ）
【図１】
0004065469.tif 000002
【図２】
0004065469.tif 000003
【図３】
0004065469.tif 000004
【図４】
0004065469.tif 000005
【図５】
0004065469.tif 000006
【図６】
0004065469.tif 000007
【図７】
0004065469.tif 000008
【図８】
0004065469.tif 000009